(57)【要約】【課題】電子制御装置において、通気孔が形成された収容ケースにおける防水性能の向上を図る。【解決手段】電子制御装置は、通気孔２４が形成された収容ケース４と、通気孔２４を通過する気体を濾過するフィルタ装置２３と、フィルタ装置２３の周囲で相互に間隔をあけて収容ケース４の外面３ｂに突設された複数の壁部２５ａ，２５ｃによってフィルタ装置２３を囲繞する防護壁２５と、を備える。壁部２５ａ，２５ｃの外面２５ｇは、その先端に向かうにしたがい防護壁２５の内側に近づくように傾斜して形成されている。【選択図】図８
2010052701.tif 000002
【特許請求の範囲】
【請求項１】
回路基板と、
通気孔を有し内部に前記回路基板を収容した収容ケースと、
前記収容ケースの外部に位置するように前記収容ケースに取り付けられ、前記通気孔を通過する気体を濾過するフィルタ装置と、
前記フィルタ装置の周囲で相互に間隔をあけて前記収容ケースの外面に突設された複数の壁部によって、前記フィルタ装置を囲繞する防護壁と、
を備える電子制御装置において、
前記壁部の外面が、その先端に向かうにしたがい前記防護壁の内側に近づくように傾斜して形成されていることを特徴とする電子制御装置。
【請求項２】
前記壁部は、複数の第１の壁部と複数の第２の壁部とがあり、
複数の前記第１の壁部は、前記フィルタ装置を囲繞する環状に、第１の排水口を介して配列されており、
前記第２の壁部は、前記第１の排水口における前記フィルタ装置側とは反対側で当該排水口に対向しており、
少なくとも前記第１の壁部の外面が、その先端に向かうにしたがい前記防護壁の内側に近づくように傾斜して形成されていることを特徴とする請求項１に記載の電子制御装置。
【請求項３】
複数の前記第１の壁部は、前記フィルタ装置の周囲に等間隔に配置されており、
複数の前記第２の壁部は、前記フィルタ装置の周囲に等間隔に配置さていることを特徴とする請求項２に記載の電子制御装置。
【請求項４】
前記収容ケースの外面における前記防護壁の周囲に溝部が形成されていることを特徴とする請求項１ないし３のいずれか一項に記載の電子制御装置。
【請求項５】
前記溝部は、前記フィルタ装置を囲繞する環状に形成された第１の溝部と、この第１の溝部から放射状に延出した第２の溝部と、を有することを特徴とする請求項４に記載の電子制御装置。
【請求項６】
前記第２の溝部の底面は、前記第１の溝部から遠ざかるにしたがい当該第２の溝部の深さが変化するように傾斜していることを特徴とする請求項５に記載の電子制御装置。
【請求項７】
複数の前記第２の溝部のうちの少なくとも一つは、前記第１の溝部から遠ざかるにしたがい当該第２の溝部の深さが深くなるように底面が傾斜しており、複数の前記第２の溝部のうちの少なくとも一つは、前記第１の溝部から遠ざかるにしたがい当該第２の溝部の深さが浅くなるように底面が傾斜していることを特徴とする請求項６に記載の電子制御装置。
【請求項８】
全ての前記第２の溝部は、前記第１の溝部から遠ざかるにしたがい当該第２の溝部の深さが深くなるように底面が傾斜していることを特徴とする請求項６に記載の電子制御装置。
【請求項９】
前記第２の溝部は、前記第１の溝部から遠ざかるにしたがい当該第２の溝部の深さが深くなるように底面が傾斜し、その途中部位から、前記第１の溝部とは反対側の端部に至る部分の深さが一定であることを特徴とする請求項８に記載の電子制御装置。
【請求項１０】
回路基板と、
通気孔を有し内部に前記回路基板を収容した収容ケースと、
前記収容ケースの外部に位置するように前記収容ケースに取り付けられ、前記通気孔を通過する気体を濾過するフィルタ装置と、
前記収容ケースの外面に突設され、前記フィルタ装置を囲繞する防護壁と、
を備える電子制御装置において、
前記収容ケースの外面における前記防護壁の周囲に溝部が形成されていることを特徴とする電子制御装置。
【請求項１１】
前記溝部は、前記防護壁を囲繞する環状に形成された第１の溝部と、この第１の溝部から放射状に延出した第２の溝部と、を有することを特徴とする請求項１０に記載の電子制御装置。
【請求項１２】
前記第２の溝部の底面は、前記第１の溝部から遠ざかるにしたがい当該第２の溝部の深さが変化するように傾斜していることを特徴とする請求項１１に記載の電子制御装置。
【請求項１３】
複数の前記第２の溝部のうちの少なくとも一つは、前記第１の溝部から遠ざかるにしたがい当該第２の溝部の深さが深くなるように底面が傾斜しており、複数の前記第２の溝部のうちの少なくとも一つは、前記第１の溝部から遠ざかるにしたがい当該第２の溝部の深さが浅くなるように底面が傾斜していることを特徴とする請求項１２に記載の電子制御装置。
【請求項１４】
全ての前記第２の溝部は、前記第１の溝部から遠ざかるにしたがい当該第２の溝部の深さが深くなるように底面が傾斜していることを特徴とする請求項１２に記載の電子制御装置。
【請求項１５】
前記第２の溝部は、前記第１の溝部から遠ざかるにしたがい当該第２の溝部の深さが深くなるように底面が傾斜し、その途中部位から、前記第１の溝部とは反対側の端部に至る部分の深さが一定であることを特徴とする請求項１４に記載の電子制御装置。
【請求項１６】
前記防護壁は、前記フィルタ装置の周囲で相互に間隔をあけて前記収容ケースの外面に突設された複数の壁部を有して、これらの壁部によって前記フィルタ装置を囲繞しており、
前記壁部の外面が、その先端に向かうにしたがい前記防護壁の内側に近づくように傾斜して形成されていることを特徴とする請求項１０ないし１５のいずれか一項に記載の電子制御装置。
【請求項１７】
前記壁部は、複数の第１の壁部と複数の第２の壁部とがあり、
複数の前記第１の壁部は、前記フィルタ装置を囲繞する環状に、第１の排水口を介して配列されており、
前記第２の壁部は、前記第１の排水口における前記フィルタ装置側とは反対側で当該排水口に対向しており、
少なくとも前記第１の壁部の外面が、その先端に向かうにしたがい前記防護壁の内側に近づくように傾斜して形成されていることを特徴とする請求項１６に記載の電子制御装置。
【請求項１８】
複数の前記第１の壁部は、前記フィルタ装置の周囲に等間隔に配置されており、
複数の前記第２の壁部は、前記フィルタ装置の周囲に等間隔に配置さていることを特徴とする請求項１７に記載の電子制御装置。
【発明の詳細な説明】
【技術分野】
【０００１】
本発明は、回路基板を収容ケース内に収容した電子制御装置に関する。
【背景技術】
【０００２】
例えば、回路基板を収容ケース内に収容した電子制御装置では、収容ケース内の温度変化に伴なう収容ケース内の気体の膨張又は収縮による収容ケースの内圧の変動を抑制するために、収容ケースに通気孔が設けられている。
【０００３】
このような構成の電子制御装置では、通気孔から収容ケースに異物が進入するのを防止するために、フィルタ装置がその通気孔に嵌着されている。この種の電子制御装置として、フィルタ装置に撥水性のフィルタが設けられ、さらに、複数の壁部を有する防護壁がフィルタ装置の周囲に設けられた構成の電子制御装置が、例えば特許文献１に開示されている。
【０００４】
この特許文献１の電子制御装置によれば、フィルタ装置から収容ケース内に水が浸入するのをフィルタによって抑制できるとともに、フィルタ装置と収容ケースとの間に水がかかることを防護壁が抑制し、これにより、フィルタ装置と収容ケースとの間を水が通過して通気孔から収容ケース内にその水が浸入するのを抑制することができる。
【特許文献１】特開２００６−３３２６９９号公報
【発明の開示】
【発明が解決しようとする課題】
【０００５】
しかしながら、特許文献１に記載された従来の防護壁の壁部（防護片）は、その厚さが一定でその側面の面積が広いため、例えば、高圧洗浄機から噴射された水がその側面にあたると、その側面で水が防護壁の内部に向かって反射して防護壁の内側に入り込みやすい。このため、フィルタ装置と収容ケースとの間に水が浸入しやすい。
【０００６】
フィルタ装置と収容ケースとの間に浸入した水が低温になって氷結して膨張すると、フィルタ装置を持ち上げてしまい、フィルタ装置と収容ケースとの間に隙間ができ、その隙間を通過して水が通気孔から収容ケース内に浸入するおそれがある。
【０００７】
また、特許文献１に記載された収容ケースでは、防護壁が設置される面が平面であるため、収容ケースの外面に沿って流れた水が各壁部（防護片）の間の開口から防護壁の内側に浸入して、フィルタ装置と収容ケースとの間に浸入しやすい。この場合、上述したように、フィルタ装置と収容ケースとの間に浸入した水が低温になって氷結して膨張すると、フィルタ装置を持ち上げてしまい、フィルタ装置と収容ケースとの間に隙間ができ、その隙間を通過した水が通気孔から収容ケース内に浸入するおそれがある。
【０００８】
そこで、本発明は、電子制御装置において、通気孔が形成された収容ケースにおける防水性能の向上を図ることを目的とする。
【課題を解決するための手段】
【０００９】
本発明の第１の態様は、回路基板と、通気孔を有し内部に前記回路基板を収容した収容ケースと、前記収容ケースの外部に位置するように前記収容ケースに取り付けられ、前記通気孔を通過する気体を濾過するフィルタ装置と、前記フィルタ装置の周囲で相互に間隔をあけて前記収容ケースの外面に突設された複数の壁部によって、前記フィルタ装置を囲繞する防護壁と、を備える電子制御装置において、前記壁部の外面が、その先端に向かうにしたがい前記防護壁の内側に近づくように傾斜して形成されていることを特徴とする。
【００１０】
本発明の第２の態様は、回路基板と、通気孔を有し内部に前記回路基板を収容した収容ケースと、前記収容ケースの外部に位置するように前記収容ケースに取り付けられ、前記通気孔を通過する気体を濾過するフィルタ装置と、前記収容ケースの外面に突設され、前記フィルタ装置を囲繞する防護壁と、を備える電子制御装置において、前記収容ケースの外面における前記防護壁の周囲に溝部が形成されていることを特徴とする。
【発明の効果】
【００１１】
本発明の電子制御装置によれば、収容ケースにおける防水性能の向上を図ることができる。
【発明を実施するための最良の形態】
【００１２】
以下、本発明を適用した具体的な実施形態について図面を参照しながら詳細に説明する。
【００１３】
［第１の実施形態］
「電子制御装置の構成」
図１〜図９は、本発明の第１の実施形態を示し、図１は、電子制御装置をカバー側から見たときの全体斜視図、図２は、図１の分解斜視図、図３は、電子制御装置をケース本体側から見たときの全体斜視図、図４は、図３の分解斜視図、図５は、図１のＡ−Ａ線断面図であり、接触抑制手段が設けられた部位を示し、図６は、電子制御装置をカバー側からみたときの平面図、図７は、図６のＢ−Ｂ線断面図、図８は、図６のＣ−Ｃ線断面図、図９は、図６のフィルタ装置が設けられた部位を示す要部拡大平面図である。
【００１４】
本実施形態の電子制御装置は、図１〜図４に示すように、回路基板であるプリント配線板１と、ケース本体２及びカバー３を有してプリント配線板１を収容した収容ケース４と、を備えて構成されている。プリント配線板１は、ケース本体２に固定された状態でカバー３によって覆われて、収容ケース４に収容される。電子制御装置は、例えば自動車用のエンジン制御ユニットやステアリング制御ユニット或いはブレーキ制御ユニット等に使用され、自動車車体に取り付けられる。もちろん、この電子制御装置は、自動車用に限定されるものではない。
【００１５】
プリント配線板１は、図２に示すように、例えばガラスエポキシ樹脂等の如き絶縁樹脂材料等をベースとし、そのベースの表裏面に配線回路パターンを形成すると共に電子部品５を実装させることで電気回路部を構成する。電気回路部は、単層基板であれば表面と裏面に配線回路パターンを形成して構成され、多層基板であれば間に挟まれる中間基板にも配線回路パターンを形成して構成される。配線回路パターンは、図示を省略する絶縁層によってその表面が覆われて保護されている。図２及び図４では、配線回路パターンは、絶縁層で覆われることから図示していない。
【００１６】
プリント配線板１に実装される電子部品５には、エンジン制御ユニットではそのユニットを構成するための各種電子部品が使用され、例えばコンデンサ、コイル、トランジスタ、半導体ＩＣ等が用いられる。図２は、複数種類ある電子部品５のうち、一部の電子部品５のみを示してあり、電子部品５のうち、５ａ，５ｂは、比較的発熱性の高い電子部品（例えばパワートランジスタやインバータなど）である。その他の電子部品は図示を省略してある。
【００１７】
また、プリント配線板１には、図４に示すように、ケース本体２への取り付け面となる裏面１ａに外部コネクタと接続されるコネクタ６が取り付けられている。コネクタ６は、プリント配線板１の平面視長方形状をなす長手方向の一側縁寄りで、かつ該長手方向長さの中央部位近傍の位置に設けられている。プリント配線板１の中で熱変形量が多いのが、コネクタ６が取り付けられる部位である。プリント配線板１は、後述するケース本体２内の四隅からケース本体２の内方に向かって延設して設けられた基板固定部１２に載せられ、基板四隅から同様にケース本体２の内方に向かった位置に形成された取付孔７に挿通されるネジ８にて固定される。また、プリント配線板１は、後述する基板固定部１２の近傍に設けられた位置決めピン９に位置決め孔１０を遊嵌させてケース本体２に対する装着位置を定め、このとき位置決めピン９と位置決め孔１０とは遊嵌されており、両部材間にクリアランスが形成されている。
【００１８】
ケース本体２は、図２及び図４に示すように、上向きに開口した略四角形状の有底箱状体に形成されている。かかるケース本体２は、電気回路部で発生した熱を外部へ放熱するために、放熱性に優れたアルミニウム、鉄、ステンレス鋼等の金属材料から形成される。ケース本体２の底部２ａには、コネクタ６の接続口をケース本体２外に突出させるためのコネクタ挿通孔１１が形成されている。また、ケース本体２の底部２ａには、ケース本体２の開口側へと垂直方向に突出し、プリント配線板１が載置される天面１２ａを有する基板固定部１２が設けられている。
【００１９】
基板固定部１２は、ケース本体２の四隅（図２では２箇所のみを示してある）から、ケース本体２の内方に向かって延設されており、またコネクタ挿通孔１１とは反対側位置のケース本体２の長手方向中央位置近傍にも同じくケース本体２の内方に向け基板固定部１２が設けられている。この基板固定部１２の天面１２ａは、プリント配線板１に対して面接触状態で接するように平坦面とされている。そして、基板固定部１２の天面１２ａには、プリント配線板１を該基板固定部１２にネジ８で固定させるためのネジ孔１３が形成されている。
【００２０】
また、ケース本体２には、図２および図５に示すように、電子部品５で発生した熱を当該ケース本体２を介して外部へ放熱させる放熱用台座１４が設けられている。放熱用台座１４は、前記したプリント配線板１に実装される他の電子部品に対して発熱量が多い電子部品５（５ａ，５ｂ）と対応する位置に、ケース本体２の底部２ａから開口側へ向かって垂直方向に突出した矩形体として形成されている。本実施形態では、コネクタ挿通孔１１とは反対側の左右隅部にそれぞれ設けられている。
【００２１】
また、放熱用台座１４は、プリント配線板１において放熱が要求される発熱領域（発熱部品の実装領域）に対応して形成され、１つ或いは複数設けることができ、また、放熱用台座１４の形状、面積は放熱要求領域に併せて適宜設定されるものである。
【００２２】
放熱用台座１４は、好ましくは、この上に配置される電子部品５の外形寸法（幅及び長さ）よりも大とされ、該電子部品５で発生した熱を効率良く放熱させる。かかる放熱用台座１４は、基板固定部１２にプリント配線板１を載せたときに、このプリント配線板１との間に絶縁空間として機能する微小間隙Ｓを有する高さとされている。このプリント配線板１に接近する放熱用台座１４の上面１４ａは、凹凸の無い平坦面とされ、電子部品５から放熱された熱を効率よく筐体へ伝熱させるための放熱伝達面として機能する。以下、放熱用台座１４の上面１４ａを、放熱伝達面１４ａと称する。
【００２３】
放熱伝達面１４ａには、ケース本体２と配線回路パターンとの接触を抑制する接触抑制手段である突起部１５が設けられている。かかる突起部１５は、放熱用台座１４の上面周縁部にプリント配線板１に向かって突出している。
【００２４】
かかる突起部１５の配置位置は、プリント配線板１の大きさによりその位置が決められ、例えば図２よりもプリント配線板１が大きい場合には同図中の放熱用台座１４の上面周縁部１４ｂ、１４ｃの領域に適宜設けられる。
【００２５】
また、この突起部１５と放熱伝達面１４ａと基板固定部１２の天面１２ａとの関係は、図５に示すとおり放熱伝達面１４ａ、突起部１５、基板固定部１２の天面１２ａの順でその高さが高くなっている。
【００２６】
また、図５に示すように、この突起部１５と対向するプリント配線板１の部位には、変形で突起部１５とプリント配線板１とが接触し絶縁層を破って配線回路パターンと接触してショートすることを防止するために、配線回路が形成されていない部位１ｂを設けてある。別の見方をすると、配線回路パターンを形成していない部位１ｂに接触するように、突起部１５の位置を決めて設けている。図５では、配線パターンを形成していない部位１ｂを網掛けＮで表している。
【００２７】
放熱伝達面１４ａとプリント配線板１との間に形成された絶縁空間として機能する微小間隙Ｓには、電子部品５で発生した熱をケース本体２へと伝熱させるために、熱伝導性に優れたセラミックス粉等を含んだシート状又はゲル状のシリコン材料からなる放熱材１７が介在される。放熱材１７は、電子部品５から発生された熱をケース本体２の放熱伝達面１４ａに逃がし、プリント配線板１が高温となるのを防止する。
【００２８】
そして、該電子部品５ａ，５ｂに対応したプリント配線板１の領域（図２中Ｔ１，Ｔ２）は、放熱用台座１４の放熱伝達面１４ａに、放熱材１７を介して弾性的に支承されている。
【００２９】
また、本実施形態において放熱伝達面１４ａは凹凸の無い平坦面としたが、凹凸を設けても良く、そのようにすれば放熱伝達面１４ａと放熱材１７との接触面積が多くなり、放熱効果を高めることができる。
【００３０】
また、放熱材１７は柔軟性を有するため、車両振動等によるプリント配線板１の変形や、振動を効果的に吸収することができる。
【００３１】
この他、ケース本体２には、冷却効果を高めるための放熱フィン１６が設けられている。放熱フィン１６は、各放熱用台座１４が設けられた部位と対応するケース本体２の底面に設けられている。また、ケース本体２には、この電子制御装置を車体に固定するための固定用ブラケット１８、１９が設けられている。また、ケース本体２の四隅のうち対角となる角部には、プリント配線板１を覆って配置されるカバー３の取付け位置を規制するための一対のカバー位置決め片２０、２０が形成されている。また、ケース本体２の四隅には、後述するカバー３を取り付けるためのカバー取付けネジ孔２１が形成されている。さらに、このケース本体２の開口外周縁部には、カバー３を接着固定させるためのシール溝２２が全周に亘って形成されている。
【００３２】
カバー３は、図１〜図４に示すように、ケース本体２と同様、放熱性に優れたアルミニウム、鉄、ステンレス鋼等の金属材料から形成され、ケース本体２内に固定したプリント配線板１を覆って該ケース本体２に装着される。本実施形態では、カバー３は、平面視矩形状をなす平板とされている。
【００３３】
カバー３の四隅のうち対角となる角部には、一対のカバー位置決め片２０、２０間に嵌入されて位置決めされる位置決め部２７が形成されている。また、カバー３の四隅には、ケース本体２に形成されたカバー取付けネジ孔２１に固定ネジ２８でネジ止めするための固定ネジ取付け孔２９が形成されている。さらに、カバー３には、ケース本体２に形成されたシール溝２２に接着剤等の如きシール材３０と共に挿入される環状突条部３１が形成されている。
【００３４】
このカバー３には、収容ケース４の内外を連通し収容ケース４内の圧力を調整する通気孔２４が貫通形成されており、この通気孔２４には、フィルタ装置２３が嵌着されている。そして、カバー３における通気孔２４の周囲には、フィルタ装置２３を囲繞して、通気孔２４から収容ケース４内へ水が進入するのを防止する防護壁２５が設けられている。
【００３５】
図６〜図８に示すように、通気孔２４は、プリント配線板１に実装される一部の電子部品５に対向する位置に形成されており、電子カバーの４隅のうちの一つに寄った位置に位置している。詳しくは、カバー３には、プリント配線板１に実装される一部の電子部品５に対向する位置にカバー３の外方へ向かって膨出する膨出部３ａが形成されており、この膨出部３ａに通気孔２４が貫通形成されている。
【００３６】
フィルタ装置２３は、収容ケース４（カバー３）の外部に少なくとも一部が位置するように収容ケース４（カバー３）に取り付けられ、通気孔２４を通過する気体を濾過するようになっている。このフィルタ装置２３は、気体を濾過するフィルタ２３ａと、このフィルタ２３ａを収容したフィルタケース２３ｂと、を備えて構成されている。
【００３７】
フィルタ２３ａは、フィルタケース２３ｂに収容されて、カバー３（収容ケース４）の外部に位置している。このフィルタ２３ａは、気体は通すが液体は通さない撥液性のフィルタであり、例えば円盤状のシート状に形成さている。
【００３８】
フィルタケース２３ｂは、フィルタ２３ａが固定される略円環状のフィルタ支持部２３ｃと、このフィルタ支持部２３ｃに複数の柱２３ｅを介して接続されフィルタ２３ａを覆うフィルタカバー２３ｄと、フィルタ支持部２３ｃの中心開口２３ｆの縁部からフィルタ２３ａ側とは反対方向に突設されたフック部２３ｇと、を備えて構成さている。隣合う柱２３ｅ同士の間には開口２３ｈが形成され、この開口２３ｈ、フィルタ支持部２３ｃの中心開口２３ｆ及びカバー３の通気孔２４によって通気路が形成され、フィルタ２３ａは、通気孔２４（通気孔２４）を通過する気体を濾過する。
【００３９】
フィルタケース２３ｂは、フック部２３ｇの外径がカバー３の通気孔２４の内径よりも大きく形成されることで、通気孔２４内にフック部２３ｇが挿通されてカバー３の膨出部３ａの内面に係止することで、カバー３の膨出部３ａに係止する。即ち、カバー３の膨出部３ａは、フィルタ装置２３が取り付けられるフィルタ取付部として機能している。また、カバー３におけるフィルタ取付部（膨出部３ａ）は、カバー３の他の部位よりも高くなっている。これによって、収納ケース４内の空気が膨出部３ａに集約されやすくなり、圧力調整機能が向上する。また、フィルタ装置２３とカバー３の膨出部３ａとの間には、シール材としてのゴム製のＯリング３２が介在されている。
【００４０】
防護壁２５は、フィルタ装置２３の周囲で相互に間隔をあけて収容ケース４のカバー３の外面３ｂに突設された複数の壁部としての複数の第１の壁部２５ａ及び複数の第２の壁部２５ｃによって、フィルタ装置２３を囲繞している。複数の第１の壁部２５ａは、第１の防護壁２５ｂを構成しており、複数の第２の壁部２５ｃは、第１の防護壁２５ｂの外側に位置する第２の防護壁２５ｄを構成している。即ち、防護壁２５は、第１の防護壁２５ｂと第２の防護壁２５ｄとによって構成されている。
【００４１】
第１の防護壁２５ｂと第２の防護壁２５ｄとはフィルタ装置２３と略同一高さ、もしくはそれよりも高く形成される。これによって水がフィルタ装置２３に浸入することを抑制できる。
【００４２】
図８及び図９に示すように、第１の壁部２５ａは、膨出部３ａの周縁部において、カバー３の外面３ｂに立設されている。第１の壁部２５ａは、本実施形態では、４個設けられている。これらの第１の壁部２５ａは、フィルタ装置２３の周囲に等間隔に配置されており、隣合う第１の壁部２５ａ間には、排水口である第１の排水口２５ｅが形成されている。この第１の排水口２５ｅは、第１の防護壁２５ｂ内に入り込んだ水を排出する。これらの第１の壁部２５ａは、フィルタ装置２３を囲繞する環状に、第１の排水口２５ｅを介して配列されている。詳しくは、各第１の壁部２５ａは、単一の仮想円上に配置されており、それら各第１の壁部２５ａは、その仮想円に沿ってほぼ円弧状に形成されている。
【００４３】
各第１の壁部２５ａの外面２５ｇは、その先端に向かうにしたがい防護壁２５（第１の防護壁２５ｂ）の内側（フィルタ装置２３）に近づくように傾斜して形成されている。第１の壁部２５ａの外面２５ｇは、第１の防護壁２５ｂの外側（フィルタ装置２３側とは反対側）に向いた面である。このとき、第１の壁部２５ａは、その基端部から先端部に向かって厚さが徐々に薄くなるように形成さている。かかる第１の壁部２５ａの傾斜によって、第１の防護壁２５ｂは、その先端（カバー３の外面３ｂから外方）に向かって先細りに形成（縮径）されている。
【００４４】
図７及び図９に示すように、第２の壁部２５ｃは、膨出部３ａの周縁部において、カバー３の外面３ｂに立設されている。第２の壁部２５ｃは、本実施形態では、４個設けられている。第２の壁部２５ｃは、第１の排水口２５ｅにおけるフィルタ装置２３側とは反対側で当該第１の排水口２５ｅに対向しているとともに、これらの第２の壁部２５ｃは、フィルタ装置２３の周囲に等間隔に配置さている。隣合う第２の壁部２５ｃ間には、第２の排水口２５ｆが形成されており、この第２の排水口２５ｆを挟み込むように第１の壁部２５ａの一部が位置している。この第２の排水口２５ｆは、第２の防護壁２５ｄ内に入り込んだ水を排出する。各第２の壁部２５ｃの外面２５ｈは、その先端に向かうにしたがい防護壁２５（第２の防護壁２５ｄ）の内側（フィルタ装置２３）に近づくように傾斜して形成されている。第２の壁部２５ｃの外面２５ｈは、第２の防護壁２５ｄの外側（フィルタ装置２３側とは反対側）に向いた面である。このとき、第２の壁部２５ｃは、その基端部から先端部に向かって厚さが徐々に薄くなるように形成さている。かかる第２の壁部２５ｃの傾斜によって、第２の防護壁２５ｄは、その先端（カバー３の外面３ｂから外方）に向かって先細りに形成（縮径）されている。
【００４５】
ここで、第１の壁部２５ａの傾斜、第２の壁部２５ｃの傾斜は、水が外面２５ｇ、２５ｈにあたる水量や、製造時の抜き勾配によって適宜設定されるものである。
【００４６】
「電子制御装置の組立手順」
次に、上述のように構成された電子制御装置の組立手順について説明する。先ず、図２に示すように、２箇所の放熱伝達面１４ａに放熱材１７を取り付ける。次に、ケース本体２の外周囲に形成されたシール溝２２内にシール材３０を充填する。次に、ケース本体２にプリント配線板１を取り付ける。プリント配線板１をケース本体２に取り付けるには、コネクタ６を下向きとし、２箇所に形成した位置決め孔１０をケース本体２の位置決めピン９に遊嵌させると共にプリント配線板１の四隅を各基板固定部１２上に載せる。また、このとき、コネクタ６をコネクタ挿通孔１１よりケース本体２の底面より外方へ突出させる。
【００４７】
そして、ネジ８を取付孔７を介してネジ孔１３に螺合する。この結果、プリント配線板１は、四隅とコネクタ挿通孔１１が設けられた位置とは反対側の側縁部中央に設けられた合計５箇所の基板固定部１２上に固定される。また、プリント配線板１は、放熱伝達面１４ａ上に配置された放熱材１７とほぼ隙間なく密着する。このプリント配線板１は、前記５箇所の基板固定部１２と放熱材１７と密着する部位以外は、ケース本体２の底部２ａに対して接触することなく所定の空間を有したフローティング配置とされる。
【００４８】
次に、ケース本体２の外周囲に形成されたシール溝２２内にシール材を充填する。そして、カバー３の対角に形成した２箇所の位置決め部２７を、ケース本体２に形成した一対のカバー位置決め片２０、２０間に遊嵌させる。また、このとき、環状突条部３１をシール溝２２内に挿入させて固定ネジ２８をカバー３に形成した固定ネジ取付け孔２９を介してケース本体２のカバー取付けネジ孔２１にねじ込む。その結果、カバー３は、内部にプリント配線板１を収容させた状態でケース本体２に固定される。ケース本体２とカバー３はシール材３０でシールされることから、ケース本体２とカバー３との間からの収容ケース４内への水の進入が阻止される。
【００４９】
そして、カバー３の膨出部３ａにフィルタ装置２３を嵌着する。このとき膨出部３ａとフィルタ装置２３との間にＯリング３２を介在させる。なお、フィルタ装置２３は、カバー３をケース本体２へ取り付ける前に、カバー３に取り付けても良い。
【００５０】
「作用効果」
次に、本実施形態の電子制御装置の作用効果について説明する。
【００５１】
特許文献１に記載された収容ケースでは、防護壁が設置される面が平面であるため、収容ケースの外面に沿って流れた水が各壁部（防護片）の間の開口から防護壁の内側に浸入して、フィルタ装置と収容ケースとの間に浸入しやすい。この場合、上述したように、フィルタ装置と収容ケースとの間に浸入した水が低温になって氷結して膨張すると、フィルタ装置を持ち上げてしまい、フィルタ装置と収容ケースとの間に隙間ができ、その隙間を通過した水が通気孔から収容ケース内に浸入するおそれがある。
【００５２】
そこで、本実施形態では、第１の防護壁２５ｂ及び第２の防護壁２５ｄが、その基端部（カバー３の外面３ｂ）から先端部（カバー３の外面３ｂから外方）に向かって傾斜することによって先細りに形成（縮径）されていることで、フィルタ装置２３の側面やフィルタ装置２３と収容ケース４とのシール部としてのＯリングに水がかかることを、抑制するので、フィルタ装置２３とカバー３との間を通って通気孔２４から収容ケース４内に水が浸入することを抑制することができる。
【００５３】
また、本実施形態では、第１の壁部２５ａ及び第２の壁部２５ｃが、その先端に向かうにしたがい防護壁２５の内側に近づくように傾斜（縮径）して形成されていることにより、その厚さがカバー３の外面３ｂから外方に向けて一定であるものに比べて、その側面の面積を小さくすることができる。これにより例えば、第１の壁部２５ａ及び第２の壁部２５ｃが、カバー３の外面３ｂから外方に向けて一定であるものの場合は、高圧洗浄機から噴射された水がその側面に突きあたり、フィルタ装置２３へ向けて進入する場合があったが、本実施形態における構造、すなわち第１の壁部２５ａ及び第２の壁部２５ｃが、その先端に向かうにしたがい防護壁２５の内側に近づくように傾斜（縮径）して形成されている場合にあっては、その側面の面積を小さく（薄く）抑えることで、水が側面に接触した時に、その勢いで壁部の外方（フィルタ装置２３の反対方向）へ流れ出すことが可能となり、フィルタ装置２３へ対する水の浸入を抑制することできる。ここで、高圧洗浄機から噴射された水の移動経路の一例を図９中に矢印ａ，ｂで示す。したがって、その水が第１の壁部２５ａ及び第２の壁部２５ｃにあたって第１の防護壁２５ｂ及び第２の防護壁２５ｄの内部に向かって反射しても、第１の防護壁２５ｂ及び第２の防護壁２５ｄの内側に入り込むことを抑制できる。これにより、フィルタ装置２３と収容ケース４（カバー３）との間に水が浸入することを抑制することができ、よって、通気孔２４から収容ケース４内に水が浸入するのを、上記従来構造に比べて、より抑制することができる。つまり、本実施形態の電子制御装置によれば、収容ケース４における防水性能の向上を図ることができる。
【００５４】
また、このように、第１の防護壁２５ｂ及び第２の防護壁２５ｄが、その先端に向かうにしたがい防護壁２５の内側に近づくように傾斜して形成されていることにより、第１の防護壁２５ｂ及び第２の防護壁２５ｄをダイカスト成形する際には、その金型の寿命を大きく伸ばすことができる。
【００５５】
また、本実施形態では、第１の壁部２５ａ及び第２の壁部２５ｃは、４個設けられ、且つ、第２の壁部２５ｃは、第１の防護壁２５ｂの外側であって第１の壁部２５ａ間の第１の排水口２５ｅに対向して相互に間隔をあけて配置されている。したがって、収容ケース４の設置姿勢にかかわらず、防護壁２５の内部に水が浸入してフィルタ装置２３の側面やフィルタ装置２３と収容ケース４とのシール部としてのＯリングに水がかかることを、第１の防護壁２５ｂ及び第２の防護壁２５ｄによって抑制することができる。
【００５６】
また、本実施形態では、カバー３の膨出部３ａ（カバー３の外面３ｂよりも高い位置に形成）に通気孔２４及びフィルタ装置２３が設けられているので、膨出部３ａ以外のカバー３の外面３ｂに沿って流れる水が、通気孔２４及びフィルタ装置２３に向かうのを、膨出部３ａによって阻止することができる。したがって、これによっても、フィルタ装置２３と収容ケース４（カバー３）との間に水が浸入することを抑制することができ、よって、通気孔２４から収容ケース４内に水が浸入するのをより抑制することができる。
【００５７】
また、本実施の形態では、プリント配線板１に実装される電子部品５のうち、発熱性の高い電子部品５に対向する位置に通気孔２４が形成されることで、当該電子部品５の周囲の温度変化に起因する収納ケース４内の圧力変化に対応でき、より圧力調整機能が向上する。
【００５８】
［第２の実施形態］
図１０〜図１２は、本発明の第２の実施形態を示し、図１０は、電子制御装置をカバー側からみたときの全体斜視図、図１１は、電子制御装置をカバー側からみたときの平面図、図１２は、図１１のＤ−Ｄ線断面図である。なお、第１の実施形態と同じ部分は、同一符号で示し説明も省略する。
【００５９】
図１０〜図１２に示すように、本実施形態は、電子制御装置のカバー１０３の外面１０３ｂにおける防護壁２５の周囲に溝部４１が形成されている点が第１の実施形態に対して異なり、他の構成は第１の実施形態と同じである。
【００６０】
溝部４１は、防護壁２５を囲繞する環状に形成された第１の溝部４１ａと、この第１の溝部４１ａから放射状に延出した複数の第２の溝部４１ｂ〜４１ｉとから構成されている。
【００６１】
第１の溝部４１ａは、例えば８角形に形成されており、その深さは略一定に形成されている。
【００６２】
複数の第２の溝部４１ｂ〜４１ｉは、図１１に示すように、カバー１０３の外面１０３ｂ側から見て、この符号順に時計回りに配置されて、防護壁２５の周方向に互いに等間隔で配置されている。そして、これらの第２の溝部４１ｂ〜４１ｉのうちの２つの第２の溝部４１ｆ，４１ｇの間に、カバー１０３の４隅のうちフィルタ装置２３（通気孔２４）に最も近い隅が位置している。
【００６３】
これらの第２の溝部４１ｂ〜４１ｉのうちの３つ（第２の溝部４１ｂ，４１ｃ，４１ｄ）は、その全体がカバー１０３の外周縁の内側に位置する一方、そのうちの４つ（第２の溝部４１ｅ，４１ｆ，４１ｇ，４１ｈ）は、その延出先端部がカバー１０３の外周縁に至って、カバー１０３の側面に開口している。
【００６４】
また、これらの第２の溝部４１ｂ〜４１ｉの底面４１ｊは、第１の溝部４１ａから遠ざかるにしたがい当該第２の溝部４１ｂ〜４１ｉの深さが変化するように傾斜している。具体的には、カバー１０３の４隅のうちフィルタ装置２３に最も近い隅を間にした２つの第２の溝部４１ｆ，４１ｇと、これら２つの第２の溝部４１ｆ，４１ｇの隣に位置する２つの第２の溝部４１ｅ，４１ｈとは、第１の溝部４１ａから離れるにしたがい（カバー１０３の外周縁に向かって）当該第２の溝部４１ｅ，４１ｆ，４１ｇ，４１ｈの深さが深くなるように底面４１ｊが傾斜している。一方、他の第２の溝部４１ｂ，４１ｃ，４１ｄ，４１ｉは、第１の溝部４１ａから遠ざかるにしたがい当該第２の溝部４１ｂ，４１ｃ，４１ｄ，４１ｉの深さが浅くなるように底面４１ｊが傾斜している。ここで、各第２の溝部４１ｂ〜４１ｉにおける第１の溝部４１ａとの接続部分の深さは、同一である。なお、図１１において各第２の溝部４１ｂ〜４１ｉの横に示した矢印は、第２の溝部４１ｂ〜４１ｉの深さが徐々に深くなる方向を示している。
【００６５】
以上説明した通り、本実施形態では、収容ケース４（カバー１０３）の外面１０３ｂにおける防護壁２５の周囲に溝部４１が形成されている。したがって、例えばフィルタ装置２３が上側となるように収容ケース４が設置されると、収容ケース４（カバー１０３）の外面１０３ｂに沿って流れて通気孔２４及びフィルタ装置２３に向かう水は、溝部４１に流れ込み、これによって、通気孔２４及びフィルタ装置２３に水が向かうのが阻止される。したがって、フィルタ装置２３と収容ケース４（カバー３）との間に水が浸入することを抑制することができ、よって、通気孔２４から収容ケース４内に水が浸入するのをより抑制することができ、通気孔２４から収容ケース４内に水が浸入するのを、上記従来構造に比べて、より抑制することができる。つまり、本実施形態の電子制御装置によれば、収容ケース４における防水性能の向上を図ることができる。
【００６６】
また、本実施形態では、溝部４１は、防護壁２５を囲繞する環状に形成された第１の溝部４１ａと、この第１の溝部４１ａから放射状に延出した第２の溝部４１ｂ〜４１ｉと、を有するので、第１の溝部４１ａに流れ込んだ水を、フィルタ装置２３及び第１の溝部４１ａから遠ざかる方向に第２の溝部４１ｂ〜４１ｉが案内し、その第２の溝部４１ｂ〜４１ｉの先端から排水することができる。
【００６７】
また、本実施形態では、複数の第２の溝部４１ｂ〜４１ｉのうちの少なくとも一つ（具体的には、第２の溝部４１ｅ，４１ｆ，４１ｇ，４１ｈ）は、第１の溝部４１ａから遠ざかるにしたがい当該第２の溝部４１ｅ，４１ｆ，４１ｇ，４１ｈの深さが深くなるように底面４１ｊが傾斜しており、複数の前記第２の溝部４１ｂ〜４１ｉのうちの少なくとも一つ（具体的には、第２の溝部４１ｂ，４１ｃ，４１ｄ，４１ｉ）は、第１の溝部４１ａから遠ざかるにしたがい当該第２の溝部４１ｂ，４１ｃ，４１ｄ，４１ｉの深さが浅くなるように底面４１ｊが傾斜している。したがって、第２の溝部４１ｅ，４１ｆ，４１ｇ，４１ｈに入り込んだ水を、第１の溝部４１ａを経由して第２の溝部４１ｂ，４１ｃ，４１ｄ，４１ｉの先端部から排出することができる。なお、この第２の溝部４１ｂ〜４１ｉの底面４１ｊの傾斜は、収容ケース４の取付姿勢によって、適宜選択して形成して良い。また、この底面４１ｊの傾斜角度は、カバー３の厚みに応じて適宜設定して良い。
【００６８】
［第３の実施形態］
図１３〜図１５は、本発明の第３の実施形態を示し、図１３は、電子制御装置をカバー側からみたときの平面図、図１４は、図１３のＥ−Ｅ線断面図、図１５は、第２の溝部の変形例を説明するための電子制御装置の断面図である。なお、第１及び第２の実施形態と同じ部分は、同一符号で示し説明も省略する。
【００６９】
本実施形態は、通気孔２４（図１４）がカバー２０３の中央部に配置されており、これにより、図１３に示すように、フィルタ装置２３及び防護壁２５が通気孔２４に対応してカバー２０３に配置されて、フィルタ装置２３の周囲に溝部４１が配置されている点が第２の実施形態に対して異なる。
【００７０】
溝部４１の全ての第２の溝部４１ｂ〜４１ｉは、その延出先端部がカバー２０３の外周縁に至って、カバー２０３の側面に開口している。また、これら全ての第２の溝部４１ｂ〜４１ｉは、第１の溝部４１ａから遠ざかるにしたがい当該第２の溝部４１ｂ〜４１ｉの深さが深くなるように底面４１ｊが傾斜している。詳細には、第１の溝部４１ａから遠ざかるにしたがい当該第２の溝部４１ｂ〜４１ｉの深さが深くなり、その途中部位から、第１の溝部４１ａとは反対側の端部（延出先端部）に至る部分の深さが一定となっている。ここで、図１３において各第２の溝部４１ｂ〜４１ｉの横に示した矢印は、図１１と同様に、第２の溝部４１ｂ〜４１ｉの深さが徐々に深くなる方向を示している。なお、他の構成は、第２の実施形態と同じである。
【００７１】
以上説明した通り、本実施形態では、全ての第２の溝部４１ｂ〜４１ｉが、第１の溝部４１ａから遠ざかるにしたがい当該第２の溝部４１ｂ〜４１ｉの深さが深くなるように底面が傾斜していることにより、第１の溝部４１ａに入り込んだ水を、いずれかの第２の溝部４１ｂ〜４１ｉによって、その先端部から排水することができる。
【００７２】
また、第２の溝部４１ｂ〜４１ｉの底面４１ｊの傾斜を途中部位から一定の傾斜（深さ）に形成してあるので、それまでの傾斜によって水が第２の溝部４１ｂ〜４１ｉからカバー１０３の側面に向かって流れることとなり通気孔２４及びフィルタ装置２３に水が向かうのが阻止される。
【００７３】
ここで、第２の溝部４１ｂ〜４１ｉは、上述したものの他に、図１５に変形例を示すように、第２の溝部４１ｂ〜４１ｉの全域において、第１の溝部４１ａから遠ざかるにしたがい当該第２の溝部４１ｂ〜４１ｉの深さが深くなるようにしても良い。つまり第２の溝部４１ｂ〜４１ｉの底面４１ｊ全体が傾斜していても良い。この場合には、全ての第２の溝部４１ｂ〜４１ｉの全体が、第１の溝部４１ａから遠ざかるにしたがい当該第２の溝部４１ｂ〜４１ｉの深さが深くなるように底面が傾斜していることにより、第１の溝部４１ａに入り込んだ水を、いずれかの第２の溝部４１ｂ〜４１ｉによって、その先端部からより効率的に排水することができる。
【００７４】
なお、本発明は、上記の実施形態に限ることなく本発明の要旨を逸脱しない範囲で他の実施形態を各種採用することができる。例えば、上記実施形態では、第１の壁部２５ａと第２の壁部２５ｃとの両方が、その先端に向かうにしたがい防護壁２５の内側に近づくように傾斜して形成されている例を説明したが、これに限ることなく、第１の壁部２５ａがと第２の壁部２５ｃとの少なくとも一方が防護壁２５の内側に近づくように傾斜して形成されていれば良い。
【００７５】
また、上記各実施形態では、防護壁２５として、第１の防護壁２５ｂ及び第２の防護壁２５ｄを備えるものを説明したが、これに限ることなく、防護壁２５は、第１の防護壁２５ｂのみを備え、第２の防護壁２５ｄを備えないものであっても良い。
【図面の簡単な説明】
【００７６】
【図１】本発明の第１の実施形態にかかる電子制御装置をカバー側から見たときの全体斜視図である。
【図２】図１の分解斜視図である。
【図３】本発明の第１の実施形態にかかる電子制御装置をケース本体側から見たときの全体斜視図である。
【図４】図３の分解斜視図である。
【図５】図１のＡ−Ａ線断面図であり、接触抑制手段が設けられた部位を示す。
【図６】本発明の第１の実施形態にかかる電子制御装置をカバー側からみたときの平面図である。
【図７】図６のＢ−Ｂ線断面図である。
【図８】図６のＣ−Ｃ線断面図である。
【図９】図６のフィルタ装置が設けられた部位を示す要部拡大平面図である。
【図１０】本発明の第２の実施形態にかかる電子制御装置をカバー側からみたときの全体斜視図である。
【図１１】本発明の第２の実施形態にかかる電子制御装置をカバー側からみたときの平面図である。
【図１２】図１１のＤ−Ｄ線断面図である。
【図１３】本発明の第３の実施形態にかかる電子制御装置をカバー側からみたときの平面図である。
【図１４】図１３のＥ−Ｅ線断面図である。
【図１５】本発明の第３の実施形態にかかる第２の溝部の変形例を説明するための電子制御装置の断面図である。
【符号の説明】
【００７７】
１…プリント配線板（回路基板）
４…収容ケース
２３…フィルタ装置
２４…通気孔
２５…防護壁
２５ａ…第１の壁部（壁部）
２５ｃ…第２の壁部（壁部）
２５ｅ…第１の排水口（排水口）
２５ｇ…第１の壁部の外面
２５ｈ…第２の壁部の外面
４１…溝部
４１ａ…第１の溝部
４１ｂ〜４１ｉ…第２の溝部
４１ｊ…第２の溝部の底面
【図１】
2010052701.tif 000003
【図２】
2010052701.tif 000004
【図３】
2010052701.tif 000005
【図４】
2010052701.tif 000006
【図５】
2010052701.tif 000007
【図６】
2010052701.tif 000008
【図７】
2010052701.tif 000009
【図８】
2010052701.tif 000010
【図９】
2010052701.tif 000011
【図１０】
2010052701.tif 000012
【図１１】
2010052701.tif 000013
【図１２】
2010052701.tif 000014
【図１３】
2010052701.tif 000015
【図１４】
2010052701.tif 000016
【図１５】
2010052701.tif 000017